(57)【要約】  窓取り付けペットトイレ筐体を説明する。筐体には、左前ドア、右前ドア、透明な後パネル、天井、床、及び少なくとも１個の窓アンカーマウントが備わっている。左前ドア及び右前ドアは、筐体から外向きに開くように構成されている。左前ドアには、ペットが筐体に出入りするのに使用されるように構成されているフラップドアが備わっている。筐体の内部は、ペットトイレ砂ボックスのための適切な空間だけでなく、ペットが横たわり透明な後パネルを通して覗くための空間を提供している。筐体内に雨や雪が進入するのを防ぎながら換気を実現する換気ルーバーが左壁と右壁に配置されている。【選択図】図２
2018509149.tif 000002
【特許請求の範囲】
【請求項１】
側部パネルと、屋根と、透明な後パネルと、床とを有する筐体と、
前記筐体上に配置されており、前記側部パネルに通じている右前ドアと、
前記筐体上に配置されており、前記側部パネルに通じている左前ドアであって、
前記右前ドアと前記左前ドアとは前記側部パネルにヒンジを介して取り付けられており、
前記ヒンジは、垂直に向けられており、
前記ヒンジは、前記右前ドアの上部と下部とに配置されており、
前記ヒンジは、前記左前ドアの上部と下部とに配置されており、
前記左前ドア上に配置されているフラップドアであって、
前記フラップドアは、上部取り付け水平ヒンジを介して取り付けられており、
前記筐体の前記側部パネルから延びている伸長可能な延長パネルと、
前記側部パネル上に配置されている換気ルーバーと、
前記伸長可能な延長パネルの角に配置されている取り付け穴であって、
前記取り付け穴は、前記伸長可能な延長パネルを窓の枠に固定する取り付けねじを受け入れるように構成されており、
前記筐体の基部の位置に、前記左前ドアと前記右前ドアとに隣接して配置されており、窓から直角に延びている踊り場と、
を有する、窓取り付けペットトイレ筐体及びペットシェルター装置。
【請求項２】
前記透明な後パネルはプラスチック窓であって、
前記透明な後パネルは前記側部パネルと、前記屋根と、前記床とに通じている、請求項１に記載の装置。
【請求項３】
前記踊り場は、８インチの奥行きを有している、請求項１に記載の装置。
【請求項４】
アクセスステップをさらに有し、前記アクセスステップは、前記踊り場に隣接して配置されている、請求項１に記載の装置。
【請求項５】
傾斜路をさらに有し、
前記傾斜路は、前記踊り場に通じており、
前記傾斜路は前記踊り場から住居の床まで延びている、
請求項１に記載の装置。
【請求項６】
前記踊り場にはカーペットが備わっている、請求項１に記載の装置。
【請求項７】
前記筐体内に配置されているトイレ砂皿をさらに有し、
前記右前ドアと前記左前ドアとは、前記筐体から外向きに開いて、前記トイレ砂皿にアクセスできるように構成されており、
前記右前ドアを前記左前ドアとは取り外し可能である、
請求項１に記載の装置。
【請求項８】
前記踊り場は８インチの奥行きを有している、請求項２に記載の装置。
【請求項９】
アクセスステップを、をさらに有し、前記アクセスステップは前記踊り場に隣接して配置されている、請求項２に記載の装置。
【請求項１０】
傾斜路をさらに有し、
前記傾斜路は前記踊り場に通じており、
前記傾斜路は前記踊り場から居住床まで延びている、
請求項２に記載の装置。
【請求項１１】
前記踊り場にはカーペットが備わっている、請求項２に記載の装置。
【請求項１２】
前記筐体内に配置されているトイレ砂皿をさらに有し、
前記右前ドアと前記左前ドアとは、前記筐体から外向きに開いて、前記トイレ砂皿にアクセスできるように構成されており、
前記右前ドアを前記左前ドアとは取り外し可能である、
請求項２に記載の装置。
【請求項１３】
アクセスステップを、をさらに有し、前記アクセスステップは前記踊り場に隣接して配置されている、請求項３に記載の装置。
【請求項１４】
側部パネルと、屋根と、透明な後パネルと、床とを有する筐体と、
前記筐体上に配置されており、前記側部パネルに通じている右前ドアと、
前記筐体上に配置されており、前記側部パネルに通じている左前ドアであって、
前記右前ドアと前記左前ドアとは前記パネルにヒンジを介して取り付けられており、
前記ヒンジは、垂直に向けられており、
前記ヒンジは、前記右前ドアの上部と下部とに配置されており、
前記ヒンジは、前記左前ドアの上部と下部とに配置されており、
前記左前ドア上に配置されているフラップドアであって、
前記フラップドアは、上部取り付け水平ヒンジを介して取り付けられており、
前記筐体の前記側部パネルから延びている伸長可能な延長パネルと、
前記側部パネル上に配置されている換気ルーバーと、
前記伸長可能な延長パネルの角に配置されている取り付け穴であって、
前記取り付け穴は、前記伸長可能な延長パネルを窓の枠に固定する取り付けねじを受け入れるように構成されており、
前記筐体の基部の位置に、前記左前ドアと前記右前ドアとに隣接して配置されており、窓から直角に延びている踊り場と、
前記透明な後パネルはプラスチック窓であって、
前記透明な後パネルは前記側部パネルと、前記屋根と、前記床とに通じており、
前記踊り場は８インチの奥行きを有しており、
アクセスステップであって、
前記アクセスステップは前記踊り場に隣接して配置されており、
前記踊り場にはカーペットが備わっており、
前記筐体内に配置されているトイレ砂皿であって、
前記右前ドアと前記左前ドアとは、前記筐体から外向きに開いて、前記トイレ砂皿にアクセスできるように構成されており、
前記右前ドアを前記左前ドアとは取り外し可能である、
を有する、窓取り付けペットトイレ筐体及びペットシェルター装置。
【請求項１５】
筐体と、
前記筐体上に配置されている窓アンカーマウントと、
前記筐体に１個のヒンジを介して通じている少なくとも１個のドアと、
前記少なくとも１個のドアの下方に配置されている踊り場と、
を有する、窓取り付けペットトイレシェルター装置。
【請求項１６】
トイレ砂皿をさらに有し、
前記トイレ砂皿は前記筐体内に配置されており、
前記トイレ砂皿は前記少なくとも１個のドアからアクセス可能な、
請求項１５に記載の装置。
【発明の詳細な説明】
【技術分野】
【０００１】
本出願は、２０１５年３月１３日に出願された仮特許出願番号６２／１３２，８１６の本出願であって、それに対して優先権を主張する。
【０００２】
本発明は、一般的にペットトイレ筐体及びペットシェルターに関し、特にペットが使用する窓取り付け筐体及びトイレ砂箱に関する。
【背景技術】
【０００３】
ネコ、フェレット、チンチラ、イヌ、及び他の小型ペットなどの室内動物は、トイレを使用するためにトイレ砂箱を使用するように訓練された後は、ペットトイレ砂が満たされているトイレ砂箱を利用する傾向があることが知られている。そのようなシナリオにおいては、少なくとも１個のトイレ砂箱が、家庭や他の構造物内のユーザが選択した場所の床上に従来は位置している。残念ながら、トイレ砂箱が汚れると、自家所有者が臭気の発生を防ぐためにできることはほとんどない。
【０００４】
消臭スプレーは臭気を一時的に逸らせるのに役立つが、ペットがそれ以降トイレ砂箱を使用するにつれて、臭いが必然的に戻ってくることになる。様々なトイレ砂箱筐体が発明されてきた。
【先行技術文献】
【特許文献】
【０００５】
【特許文献１】米国特許第５１６５３３６号明細書
【特許文献２】米国特許第５８４２４３８号明細書
【特許文献３】米国特許第７５３０３３１号明細書
【発明の概要】
【発明が解決しようとする課題】
【０００６】
多数の他の種類のペットトイレ筐体及びシェルターが、過去に発明されてきた。これらの構成が直面する１つの問題は、所有者が住居の内部から筐体に一般的にアクセスできないことである。たとえば、Ｈａｒｖｅｙに付与された特許文献１においては、筐体の外側から空にするためにトイレ砂箱にアクセスできるのは、１階においてだけである。他の問題は、トイレ筐体及びシェルターは住居の外側に取り付けられており、住居が１階にないかぎり、設置できないことである。
【０００７】
それに対して、本発明は、垂直であろうが水平であろうがどのような窓にも適合するが、住居の内側から設置され、１階から高層建物までどの階からでも取り付けることができる。さらに、本発明は、トイレ砂トレイが住居の外部からだけ空にすることができるＨａｒｖｅｙの構成とは異なる。本発明によれば、独自の３ドア構成によって、トイレ砂箱に住居の内部からアクセスできる。
【０００８】
他の対照的なものは材料の選択である。Ｈａｒｖｅｙは、夏に筐体内部がいったいどれだけ暑くなるかに気付かずに、ペットトイレ筐体全体をアクリル及び金属から構成している。箱の内部には、ブリキの屋根を除いて、日よけが実質的には存在しない。これはＨａｒｖｅｙのさらなる他の欠点であって、ブリキの屋根は、熱伝導材料としても作用するからである。これは、ネコをサウナに入れたり、拡大鏡の下に置いたりするようなものであって、ネコの健康に対して寄与していないことは明らかで、ネコが筐体を使用する気を無くさせることさえあるだろう。また、Ｈａｒｖｅｙは換気のために使用される多数の開いている穴を配置している。これは、空気の循環に寄与しているが、外が非常に寒いときや雨が降っているときには、これら２つがペットトイレ筐体内に入ってくる可能性がある。雨は、ペットトイレ砂が早く汚れる原因となる可能性がある。これが完全に遮る物のない床に組み合わされ、雨及び寒さから保護するものが基本的には存在しなくなる。
【０００９】
同様に、Ｍｅｓｓｍｅｒに対して付与された特許文献２は、窓取り付けトイレ砂箱についてである。Ｍｅｓｓｍｅｒが本発明と異なるのは、Ｍｅｓｓｍｅｒが教えるところの踊り場は小さすぎて、ペットのための快適なアクセスポイントとして適切に機能しないということである。これは、ペットによる筐体へのアクセスを促進するために、より大きく、より十分な踊り場を備えている本発明とは対照的である。
【００１０】
また、２００９年５月１２日にＭａｌａｃｈｏｗｓｋｉに対して付与された特許文献３は、内部及び外部の筐体部分を有している窓取り付けトイレ砂容器についてである。
【００１１】
Ｍａｌａｃｈｏｗｓｋｉは、窓に取り付けるということでは本発明に似ているが、Ｍａｌａｃｈｏｗｓｋｉは、掃除のためには外側からだけアクセスできる筐体のことを教えている。
【００１２】
また、Ｍａｌａｃｈｏｗｓｋｉは、住居内に延びており、そのため本発明とは違い省スペースではない。
【００１３】
また、本発明に似ている構成の他の説明した発明や製品は、過去も現在も市場には一切存在していない。本発明の背景にある主な考え方は、生活の質を向上させる目的で一般大衆を対象として市場に投入されることである。たとえば、小さいまたは比較的小さい住居に住んでいる場合、空間は最も重要である。これは、都市、ニューヨーク市、ヨーロッパ、ロシア、アジアの国々などの場所、及び住宅がしばしば小さく、狭く、ぎっしり詰まっている他のあらゆる状況に関連する。都市の住宅のほとんどは、中層または高層の住居内に位置していることが知られている。
【００１４】
本発明は、高密度プラスチックから全体が作られており、後窓用にだけアクリル材料が使用されている。これによって、適切な日よけが実現され、筐体内に雨及び寒さが進入できない。側部ルーバー換気部は、空気が箱全体を換気できるようにするが、下向きに傾斜しているので、雨はしたたり落ちるが箱には入ってこないようにすることができる。Ｈａｒｖｅｙの特許は、本発明には、その使用の本質だけが似ているが、前述の欠点をすべて含んでいる。
【００１５】
本発明は、省スペースの代替品を提供するだけでなく、ペットトイレ筐体が、適切な換気部及び窓があったりなかったりする狭い空間にあることから発生する臭気の問題もなくす。また、筐体は、さまざまな色で提供可能であるので、それによって省スペースや臭気を無くすだけでなく、どのような住居の既存の装飾にも加えたり、融合させたりすることもできる。そのため、本発明は、当然、省スペースであって、無臭であって、安全であって、効果的にトイレスプレッドを収容している。本発明は、ＡＤＡ準拠でもあることが好ましい。
【００１６】
本発明の他の特徴は、ネコの避難所及び休憩場所としての役割を果たすことである。筐体の幅のおかげで、十分な空間を割り当てて、ペットの休憩場所として使用される筐体内に空間をさらに１０インチ増加させることができる。本発明は、トイレ砂皿、左前ドア、及び右前ドアを取り除くだけで窓パーチとしても使用できる。本発明の垂直な構成によって、同じ目的のためにトイレ砂皿の上方に、筐体の全幅にわたる棚が追加される。筐体の後には、ネコが外側を見ることができるようにできるだけでなく、太陽光が進入して筐体を暖めることができるように透明なプラスチック窓が備わっていることが好ましい。これによっても、新規の特徴だけでなく、他の発明が個別に提供する全ての特徴も含まれることになる。
【００１７】
アクセス用に適切なスイングドアを提供しようと試みられてきたが、ネコが筐体内にアクセスできるようにするだけでなく、所有者がトイレの交換及び清掃もしやすくする本発明の３ドア構成に比肩できるものはない。垂直な構成は、同じように動作する２ドア構成を利用する。これによって、所有者は、通常の立っている位置でトイレ砂トレイに１００％のアクセスが可能になる。腰痛の問題を抱えており、前屈みになることができない人や、不健康なせいで関連する他の問題を抱えている人にはだれにでも朗報である。これには、また、ＡＤＡ準拠車いすに座って筐体の内部に完全にそして容易にアクセスする人のだれもが含まれる。そのため、本発明には、生活の質を改善することに関連しているその構成に多数の局面がある。
【００１８】
本発明の構成の他の利点は、多くの局面における安全性の利点である。筐体は誰かが躓くかもしれない床の上にはない。また、本発明の筐体の構成によって、地上階や上方の階に設置されている通常の窓空調ユニットのように、一式の強盗対策の棒用に設計されている住居の内側に適合させることができる。そのため、本発明が、新規で改良されたペットトイレ筐体及びシェルターを提供する全ての主な理由が存在する。
【００１９】
したがって、住居の外側からしか取り付けることができないのではなく、住居内から設置するように構成されており、雨天や冬の間に雨及び寒さから保護しながら適切な換気を行う窓取り付けペット筐体装置に対する要求がある。
【課題を解決するための手段】
【００２０】
本発明は、２個の中実の壁、枠内の透明な材料で作られている後窓、及び第４の前の壁を有している３ドア構成の組み合わせが備わっている４角のシェルターである。前壁は、自体の左側に沿って垂直方向に配置されているヒンジを備えている左前ドアの内側に取り付けられ中央に配置されている１個の上部（水平方向）ヒンジ留めスイングフラップドアからなる。筐体から外側に揺動する左前ドア及び右前ドアは、掃除のために内側のトイレ砂皿へのアクセスを実現している。フラップドアによって、ネコは好きなときに筐体に出入りすることができる。
【００２１】
本発明の第２の実施態様は、垂直の窓の狭い構成のせいで、水平の実施形態よりも狭い２ドア構成を同様に利用している垂直の筐体を示している。第２の実施形態は、筐体の上部の内側に開く他の（水平方向）ヒンジ留めドアの内側に取り付けられ中央に配置されている１個の上部（水平方向）ヒンジ留めスイングフラップドアからなる。これによって、内側のトイレ砂皿に１００％アクセスできるようになる。筐体全体は、わずか２、３個のねじを使用して任意の標準的な水平または垂直の窓にしっかりと取り付けられている。延長パネルが、水平または垂直の両方の用途で、窓の残りの部分を密封している。
【００２２】
本発明は、高密度プラスチックから全体が作られており、後窓用にだけアクリル材料が使用されている。これによって、適切な日よけが実現され、筐体内に雨及び寒さが進入できない。側部ルーバー換気部は、従来技術とは異なり、空気が箱全体を換気できるようにするが、下向きに傾斜しているので、雨はしたたり落ちるが箱には入ってこないようにすることができる。本発明の筐体の上部は、傾斜しており、雨が容易にしたたり落ちることができるようになっていることが好ましい。
【００２３】
本発明は、添付の図面を参照してよりよく理解されることになる。
【図面の簡単な説明】
【００２４】
【図１】図１は、３ドア構成及び筐体を示している本発明の等角背面図である。
【図２】図２は、３ドア構成及び踊り場を示している本発明の等角前面図である。
【図３】図３は、筐体が垂直向きの窓、引き窓、または開き窓内にどのようにして取り付けられるか、及び図１からどのように僅かに変化したかを示している本発明の等角外部背面図である。
【図４】図４は、筐体が垂直向きの窓内にどのように位置しているのかを示している本発明の垂直の窓の実施形態の前部の内部の図である。
【図５】図５は、傾斜路を備えている前側からの本発明の図を示している。
【図６】図６は、アクセスステップを備えているところを示している本発明の前部の図を示している。
【図７】図７は、左側からの本発明の断面図を示している。
【図８】図８は、標準的な水平向きの窓内に配置されている本発明の前面図である。
【図９】図９は、本発明の設置の過程を詳細に説明している流れ図を示している。
【発明を実施するための形態】
【００２５】
本発明は、家庭、アパート、コンドミニアム、高層住宅、タウンハウス、またはその他の同様な住居などの住居内で生活しているペットが使用するように構成されているペットトイレ筐体及びペットシェルターである。本発明には、側部パネル３５、屋根３３、床３４、左前ドア１６、及び右前ドア１７からなる筐体１０が備わっている。左前ドア１６及び右前ドア１７は、筐体１０の前部を有している。フラップドア１８が、左前ドア１６上に配置されている。
【００２６】
図１は、あらゆる標準サイズの水平取り付け窓で使用されるように組み立てられている筐体１０を示している本発明の後部の外部の図である。筐体１０自体は、空調窓ユニットに似ており、非常に似た方法で挿入されている。窓１２内にいったん配置され、取り付け穴５０内に配置されている付属のねじによって固定されると、筐体１０と窓枠との間に残っているあらゆる隙間を閉じるように、伸長可能な延長パネル１４を延長させてもよい。
【００２７】
いったん、筐体１０全体が完全に設置されると、左ドア１６及び右ドア１７からなる前パネルによって内部にどのようにアクセスできるのかがわかる。左前ドア１６には、左前ドア１６が開かれたときに筐体１０から離れて開くように、左側に配置されている少なくともヒンジ２０が備わっている。少なくとも１個のヒンジ２０が、左前ドア１６及び右前ドア１７の上部及び下部に配置されていることが好ましい。左前ドア１６には、その上部取り付け水平ヒンジ２２から自体を外すことができるフラップドア１８も備わっている。左前ドア１６及び右前ドア１７を閉じた状態に維持するのに役立つ少なくとも１個の従来の磁石ラッチが採用されていることが好ましい。左前ドア１６及び右前ドア１７は、閉じられたときに１つに合わさり、筐体の中心の近くでオフセットしており、磁石ラッチを介してパチンと閉じるように構成されている。本発明は、ネコが筐体１０への出入りのために飛び上がって乗るための踊り場２６も備わっていることが好ましい。踊り場２６は、ネコのための十分な空間を実現するように８インチの奥行きがあることが好ましい。踊り場２６は、休む場所としてまたは固定された爪研ぎポストとしても使用することができる。そのため、踊り場２６には、ペットの把持を助け、爪研ぎポストとして動作する取り換え可能なカーペットまたは同様な爪研ぎ材料が備わっている。
【００２８】
図１は、筐体１０の外部の図を示している。筐体１０の透明なパネル２８は、アクリル、レキサン（登録商標）、プレキシグラス、などの透明なプラスチック材料からできており、安全及び安定の両方のための２重補強枠３０内に設置されていることが好ましい。透明な後パネル２８によって、ネコが外側を見ることができ、筐体１０自体は、ネコが横たわるのにも十分に大きい。筐体１０の強い外部は、耐候性があるだけでなく、長年の太陽、雨、寒さ、雪などに耐えるように耐久性もある。筐体１０の側部パネル３５には、筐体１０全体を通した気流を可能にする換気ルーバー３２が備わっている。換気ルーバー３２によって、筐体１０は連続してごみの臭気を取り除くことができる。換気ルーバー３２は、臭気が住宅内に入らないようにもする。
【００２９】
図３は、本発明の背面図を示しており、組み立てられて、標準サイズの引き窓または開き窓内に設置されている筐体１０を示している。主な筐体１０自体は、垂直取り付け窓空調ユニットと同様であって、窓取り付け空調ユニットと同じように設置されている。窓１２内にいったん配置され、図１及び図２に示しているようにアンカーねじマウント５０によって固定されている付属ねじで取り付けられると、伸長可能な延長パネル１４を延長させて、筐体１０と窓枠との間の隙間を閉じる。伸長可能な延長パネル１４には、アンカーねじマウント５０も備わっていることが好ましい。筐体１０全体がいったん完全に設置されると、所有者が内側にアクセスできるように左前ドア１６及び右前ドア１７を開くことができる。前ドア１６には、筐体１０から開くようにヒンジ２０が上側に備わっている。前ドア１６は、上部取り付け水平ヒンジ２２から自体を外すことができるフラップドア１８も収容している。
【００３０】
図４は、まっすぐに見た内部の図であって、筐体１０がどのように組み立てられ、標準サイズの引き窓または開き窓内に設置されているかを示している。筐体１０自体は、垂直空調窓ユニットに似ており、同じ方法で挿入されている。窓１２内にいったん配置され、付属のねじで固定されると、伸長可能な延長パネル１４によって、筐体と窓枠との間の隙間を閉じることができる。図３及び図４に見られるように、垂直取り付け窓用に構成されている本発明の実施形態には、第２の高さの床４０が存在してもよい。本発明は、ネコが筐体１０への容易な出入りのために飛び上がって乗るための踊り場２６も備わっていることが好ましい。踊り場２６は、休息場所または固定されている爪研ぎポストとして使用することも可能で、８インチの奥行きがあることが好ましい。図６に示しているように、アクセスステップ６５が隣接している壁に取り付けられてペットによる本発明の筐体１０へのアクセスを促進するように、本発明に同梱されていてもよい。図５に示しているように、傾斜路５５もペットによるアクセスを促進するように本発明に同梱されていてもよい。
【００３１】
本発明の設置には、２人が必要なことが好ましいが、１人で設置することができる。図９に示しているように、本発明の使用の過程は以下のようであることが好ましい。
１．カスタマは本発明を小売業者またはインターネット小売業者から購入によって入手する。（１００）
２．カスタマは本発明を梱包から開梱する。（１１０）
３．カスタマは設置のために窓を開く。（１２０）
４．カスタマは、筐体１０を持ち上げて、窓内にそのまま摺動させて入れる。（１３０）
５．筐体１０は、開いている窓枠内の中央に配置される。（１４０）
６．窓が筐体１０の上部に接触するまで閉められる。（１５０）
７．窓枠の側部に合わせて筐体１０の前部の各側で伸長可能な延長パネル１４を延長する。（１６０）
８．アンカーねじを、筐体１０の下部及び側部に位置しているアンカーねじマウント５０及び窓しきいにねじ込む。（１７０）ドリルの使用が好ましい。
９．伸長可能な延長パネル１４を、アンカーねじマウント５０を通して窓枠内にねじ込まれている１／２インチねじを使用して定位置に取り付け、筐体１０及び伸長可能な延長パネル１４を窓内の定位置に固定する。（１８０）
【００３２】
本発明の代替の実施形態は、筐体１０の色、きめ、及び材料の成分の変形例を含む。また、本発明の代替のいくつかの実施形態は、本発明をイヌ、フェレット、ウサギ、チンチラ、他の小さいペットだけでなく、自分で踊り場２６まで飛び上がることができないこともある高齢または体の不自由なネコによって使用できるようにする傾斜路５５を備えていることが好ましい。傾斜路５５は、図５に示しているように、踊り場２６に取り付けられ、窓の下方の住居の床まで延びるように構成されていることが好ましい。傾斜路５５を、踊り場２６を左側または右側のいずれかに取り付けること、または踊り場２６の前部に沿った任意の位置に取り付けることが考えられる。
【００３３】
本発明を図示したが、当然、本発明の本質からあえて外れることなく様々な調整または変形を実装してもよい。さらに、当然、本発明は、前述の実施形態で説明したような発明だけに限定されないが、本願の範疇内の任意の及びすべての実施形態をさらに有している。
【００３４】
本発明の特定の実施形態の前述の説明を、図示及び説明の目的で示してきた。実施形態は、網羅的であること、または、本発明を開示した形態そのままに限定したりすることを意図しておらず、前述の教えの下で多くの修正や変形が可能であることは明らかである。例示としての実施形態は、本発明の原理及びその実用的な用途を最適に説明し、考えられる特定の用途に適するようなさまざまな修正のある本発明及び様々な実施形態を他の当業者が最適に利用できるように選択され説明されている。
【図１】
2018509149.tif 000003
【図２】
2018509149.tif 000004
【図３】
2018509149.tif 000005
【図４】
2018509149.tif 000006
【図５】
2018509149.tif 000007
【図６】
2018509149.tif 000008
【図７】
2018509149.tif 000009
【図８】
2018509149.tif 000010
【図９】
2018509149.tif 000011
【国際調査報告】
2018509149.tif 000012